(57)【特許請求の範囲】
【請求項１】
未使用の粘着テープを繰出す繰出ロールと、使用済みの粘着テープを巻取る巻取ロールと、を上下一対となって並設された平行な芯軸に回転自在に支持してなる粘着テープロールであって、
前記上側の芯軸に対し回転可能となした軸受を介して取付けられた歯車と、
前記下側の芯軸に対し回転可能となした軸受を介して取付けられた歯車と、
を噛合させると共に、
前記繰出ロール側及び前記巻取ロール側に各設けられた薇発条ケース内に収容された薇発条の一端を前記軸受に係止させ、前記薇発条の他端を薇発条ケースの外周に係止させてなる張力発生機構を備えたことを特徴とする粘着テープロール。
【請求項２】
前記張力発生機構は、
前記繰出ロールの薇発条と前記巻取ロールの薇発条とが、ともにロールの進行方向に対して逆向きの同一回転方向に巻かれた状態にされており、
それぞれの前記薇発条の復元力により、前記巻取ロールと前記繰出ロールとが、前記粘着テープを互いに引っ張り合うように回転付勢させられた状態にされており、
前記巻取ロールと前記繰り出しロールとが、粘着テープの巻取方向の張力と、粘着テープの繰出方向の張力が等しくなったところで停止した状態にされている
ことを特徴とする請求項１に記載の粘着テープロール。
【請求項３】
前記繰出ロールは、テープ状基材の一方の面が粘着面である粘着テープを上記粘着面を内側として巻回してなり、前記巻取ロールは、テープ状基材の一方の面が粘着面である粘着テープを上記粘着面を外側として巻回してなることで、前記粘着テープは、前記繰出ロールと前記巻取ロールとの間で略Ｓ字形状となって掛け渡されてなる請求項１又は請求項２に記載の粘着テープロール。
【請求項４】
前記両歯車の間に偶数個の中間歯車を介在させると共に、前記粘着テープは、前記繰出ロールと前記巻取ロールとの間で略Ｓ字形状となって掛け渡されてなる請求項１乃至請求項３のいずれか１項に記載の粘着テープロール。
【請求項５】
前記両歯車の間に奇数の中間歯車を介在させると共に、前記粘着テープは、前記繰出ロールと前記巻取ロールとの間で直線状となって掛け渡され、
且つ前記張力発生機構は、
前記繰出ロールの薇発条と前記巻取ロールの薇発条とが、互いに逆回転方向に巻かれた状態にされており、
それぞれの薇発条の復元力により、巻取ロールと繰出ロールとが、粘着テープを互いに引っ張り合うように回転付勢させられた状態にされており、
前記巻取ロールと前記繰り出しロールとが、粘着テープの巻取方向の張力と、粘着テープの繰出方向の張力が等しくなったところで停止した状態にされている
ことを特徴とする請求項１記載の粘着テープロール。
【発明の詳細な説明】
【技術分野】
【０００１】
本発明は、ロール状に巻装された粘着テープの粘着面を例えば床やカーペット等に押し当てて転がすことで当該床やカーペット等のゴミ・チリ等を付着させ掃除する粘着テープロールに関する。
【背景技術】
【０００２】
従来、未使用の粘着テープを繰り出す繰出しロールと、使用済みの粘着テープを切り取らずに巻き取る巻取ロールと、を並設してなる粘着テープロールがある。
【０００３】
上記したこの種の粘着テープロールとしては、例えば、特許文献１に開示されているように、取付フレーム体の下端部に回転自在に設けられたテープロール装着部と、この装着部の上方側に回転自在となって対向配置されたロール管装着部とを備え、テープロール装着部に装着されたテープロールから繰出される粘着テープを、ロール管装着部に装着された巻取用ロール管によって巻取る構成となし、テープロール装着部の主動回転部の回転運動をロール管装着部の従動回転部へ伝達し、ロール管装着部に外部から加えられる反力値に対応してスリップを許容しながら上記従動回転部の回転運動をロール管装着部へ伝達することで、粘着テープの張力を、ロールの巻取速度、繰出し速度、巻取用ロールの巻層の増大等で制御するものとした掃除装置が存在する。
【０００４】
また、特許文献２に開示されているように、二本の平行なローラ支持軸に貫挿させた繰出ロール、巻取ロールのそれぞれの芯軸間に掛け渡される繰込み粘着テ−プ部分でのタルミ及び過度緊張が発生しないよう、上側に位置する一方の芯軸の長手方向に中央膨出弓状の板又は棒状のバネを装着してなるローラ型粘着清掃具が存在する。
【先行技術文献】
【特許文献】
【０００５】
【特許文献１】実用新案登録第３００１２９１号公報
【特許文献２】特開平１１−０８９７８７号公報
【発明の概要】
【発明が解決しようとする課題】
【０００６】
しかしながら、一対の芯軸に繰出ロール及び巻取ロールを各設ける場合、両ロール間の粘着テープが弛まないように常時一定の張力を保つ必要があるが、上記した特許文献１の場合では、ロール管装着部に外部から加えられる反力値に対応してスリップを許容しながら上記従動回転部の回転運動をロール管装着部へ伝達する一方、テープロール装着部にはこのような伝達機構が存在しないことから、前記両ロール間の粘着テープに、ロールの巻取速度、繰出し速度、巻取用ロールの巻層の増大等に拘わらずに常時一定の張力を不変的に保つことは限度（無理）がある。
【０００７】
また、上記した特許文献２の場合では、上側に位置する一方の芯軸のバネによって繰込み粘着テ−プ部分でのタルミ及び過度緊張が発生しないようにしているだけであって、下側に位置する芯軸による繰出し粘着テ−プ部分での張力制御に関しては何等の対策も言及されていないことから、両ロール間の粘着テープに常時一定の張力を不変的に保つことはできない。
【０００８】
そこで、本発明は叙上のような従来存した諸事情に鑑み創出されたもので、上記した特許文献１及び特許文献２を含む従来よりも、さらに粘着テープの張力を常時弛み無く一定に保つことができ、粘着テープの繰出しと巻取を支障なく確実に行うことができる粘着テープロールを提供することを目的とする。
【課題を解決するための手段】
【０００９】
上述した課題を解決するために、本発明にあっては、未使用の粘着テープを繰出す繰出ロールと、使用済みの粘着テープを巻取る巻取ロールと、を上下一対となって並設された平行な芯軸に回転自在に支持してなる粘着テープロールであって、
前記上側の芯軸に対し回転可能となした軸受を介して取付けられた歯車と、
前記下側の芯軸に対し回転可能となした軸受を介して取付けられた歯車と、
を噛合させると共に、
前記繰出ロール側及び前記巻取ロール側に各設けられた薇発条ケース内に収容された薇発条の一端を前記軸受に係止させ、前記薇発条の他端を薇発条ケースの外周に係止させてなる張力発生機構を備えたことを特徴とする。
【００１０】
前記張力発生機構において、前記繰出ロールの薇発条と前記巻取ロールの薇発条とが、ともにロールの進行方向に対して逆向きの同一回転方向に巻かれた状態にされており、それぞれの薇発条の復元力により、巻取ロールと繰出ロールとを粘着テープとが、互いに引っ張り合うように回転付勢させられた状態にされており、前記巻取ロールと前記繰り出しロールとが、粘着テープの巻取方向の張力と、粘着テープの繰出方向の張力が等しくなったところで停止した状態にされている。
【００１１】
前記繰出ロールは、テープ状基材の一方の面が粘着面である粘着テープを上記粘着面を内側として巻回してなり、前記巻取ロールは、テープ状基材の一方の面が粘着面である粘着テープを上記粘着面を外側として巻回してなることで、前記粘着テープは、前記繰出ロールと前記巻取ロールとの間で略Ｓ字形状となって掛け渡されてなる。
【００１２】
前記両歯車の間に偶数個の中間歯車を介在させると共に、前記粘着テープは、前記繰出ロールと前記巻取ロールとの間で略Ｓ字形状となって掛け渡されてなる。
【００１３】
前記両歯車の間に奇数の中間歯車を介在させると共に、前記粘着テープは、前記繰出ロールと前記巻取ロールとの間で直線状となって掛け渡され、且つ前記張力発生機構は、前記繰出ロールの薇発条と前記巻取ロールの薇発条とが、互いに逆回転方向に巻かれた状態にされており、それぞれの薇発条の復元力により、巻取ロールと繰出ロールとを粘着テープとが互いに引っ張り合うように回転付勢させられた状態にされており、前記巻取ロールと前記繰り出しロールとが、粘着テープの巻取方向の張力と、粘着テープの繰出方向の張力が等しくなったところで停止した状態にされている。
【発明の効果】
【００１４】
本発明によれば、従来よりも、さらに粘着テープの張力を常時弛み無く一定に保つことができ、粘着テープの繰出しと巻取を支障なく確実に行うことができ、これによって粘着テープの無駄を無くし且つ清掃作業の能率向上を図ることができる。
【００１５】
すなわち、本発明では、未使用の粘着テープを繰出す繰出ロールと、使用済みの粘着テープを巻取る巻取ロールと、を上下一対となって並設された平行な芯軸に回転自在に支持してなる粘着テープロールであって、
前記上側の芯軸に対し回転可能となした軸受を介して取付けられた歯車と、
前記下側の芯軸に対し回転可能となした軸受を介して取付けられた歯車と、
を噛合させると共に、
前記繰出ロール側及び前記巻取ロール側に各設けられた薇発条ケース内に収容された薇発条の一端を前記軸受に係止させ、前記薇発条の他端を薇発条ケースの外周に係止させてなる張力発生機構を備え、
また、前記張力発生機構は、最初のセット時において前記繰出ロールの薇発条と前記巻取ロールの薇発条を、ともにロールの進行方向に対して逆向きの同一回転方向に巻かれることで、それぞれの薇発条の復元力により、巻取ロールと繰出ロールとを粘着テープを互いに引っ張り合うように回転付勢させ、粘着テープの巻取方向の張力と、粘着テープの繰出方向の張力が等しくなったところで停止すべくなしてあるので、
上記セット時に巻取側と繰出側との粘着テープの張力を互いに等しくすることで、張力を一定にしたまま、粘着テープの巻取りを容易に行うことができる。
【００１６】
前記繰出ロールは、テープ状基材の一方の面が粘着面である粘着テープを上記粘着面を内側として巻回してなり、前記巻取ロールは、テープ状基材の一方の面が粘着面である粘着テープを上記粘着面を外側として巻回してなることで、前記粘着テープは、前記繰出ロールと前記巻取ロールとの間で略Ｓ字形状となって掛け渡されてなるので、巻取側と繰出側との粘着テープの張力を互いに略Ｓ字形状に沿って維持しつつ、使用後の粘着テープを巻取ロールによってスムーズに巻取ることができる。
【００１７】
前記両歯車の間に偶数個の中間歯車を介在させると共に、前記粘着テープは、前記繰出ロールと前記巻取ロールとの間で略Ｓ字形状となって掛け渡されてなるので、前記歯車と前記歯車との外径を、巻取ロールと繰出ロールとの外径よりも極力小さくすることができ、これによって粘着テープロール自体の見栄えを良好にして商品価値を高めることができると同時に清掃時の支障にもならない。
【００１８】
前記両歯車の間に奇数の中間歯車を介在させると共に、前記粘着テープは、前記繰出ロールと前記巻取ロールとの間で直線状となって掛け渡され、且つ前記張力発生機構は、最初のセット時において前記繰出ロールの薇発条と前記巻取ロールの薇発条を、互いに逆回転方向に巻かれることで、それぞれの薇発条の復元力により、巻取ロールと繰出ロールとを粘着テープを互いに引っ張り合うように回転付勢させ、粘着テープの巻取方向の張力と、粘着テープの繰出方向の張力が等しくなったところで停止すべくなしてあるので、中間歯車を介在させることにより前記両歯車の外径を、巻取ロールと繰出ロールとの外径よりも小さくすることができ、これによって粘着テープロール自体の見栄えを良好にして商品価値を高めることができると同時に清掃時の支障にもならない。
【図面の簡単な説明】
【００１９】
【図１】本発明を実施するための一形態における粘着テープロールを示す全体斜視図である。
【図２】粘着テープロールの薇発条による張力発生機構の要部を示す一部省略の断面図である。
【図３】同じく粘着テープロールの薇発条による張力発生機構の作用原理を説明するための概念図である。
【図４】粘着テープロールの変形例を示す全体斜視図である。
【図５】粘着テープロールの他の変形例を示す全体斜視図である。
【発明を実施するための形態】
【００２０】
以下、図面を参照して本発明の実施の一形態を詳細に説明する。
【００２１】
（粘着テープロールの全体構成）
本実施形態に係る粘着テープロール１は、図１に示すように、一端にグリップ部Ｇを備え、他端が略横向きＬ字状に折曲されてなるロッド状の支持体Ｒと、該支持体Ｒの先端に間隔をおいて一方側に突出形成（略ヒの字型に突出形成）された上下一対の平行な芯軸Ｓ１，Ｓ２と、上側の芯軸Ｓ１に回転自在に装着された繰出ロールＡと、下側の芯軸Ｓ２に回転自在に装着された巻取ロールＢと、芯軸Ｓ１，Ｓ２それぞれに装着された両ロールＡ，Ｂの抜脱を防止するために前記両芯軸Ｓ１，Ｓ２の先端部に掛け渡し状となって装着されるストッパＶと、から概ね構成されている。また、掃除する際に、巻取ロールＢが被掃除面に強く押し当てられると、繰り出しロールＡと巻取ロールＢの平行なバランスが崩れるので、これを防止するためにもストッパＶは必要である。
【００２２】
上記繰出ロールＡには、テープ状基材の一方の面に粘着面が形成された粘着テープＱが、その粘着面が裏側（図１ではロール内面側）を向くようにロール状に巻回されている。また、巻取ロールＢには、上記繰出ロールＡから繰出されて使用済みとなった粘着テープＱが、その粘着面が表側（図１ではロール外面側）を向くようにロール状に巻回される。これにより、粘着テープＱ自体は、図３に示すように、繰出ロールＡと巻取ロールＢとの間で略Ｓ字形状となって掛け渡される状態となる。
【００２３】
（繰出ロールＡ及び巻取ロールＢの構成）
繰出ロールＡ及び巻取ロールＢの構成が同じであることから、これらのうちいずれか一つのロール構成、例えば未使用の粘着テープＱを繰出す繰出しロールＡの構成についてのみ説明する。
【００２４】
図２に示すように、繰出ロールＡは、上記支持体Ｒから突出した芯軸Ｓ１の根元側（図２中の左側）に位置する当該繰出ロールＡの端面に略鼓型筒状の軸受２が回転自在に取付けられ、この軸受２の周面凹所２Ａに歯車３の回転中心孔３Ａを嵌合させて一体となしてある。
【００２５】
また、繰出ロールＡの前記端面に凹設した凹所６内に、薇発条４を収容した略ディスク型円筒状の薇発条ケース５が嵌着されており、前記軸受２の一端側（図２中では軸受２の右側太径端部側）は、当該軸受２に挿通した芯軸Ｓ１とともに、この薇発条ケース５の中央孔５Ａに回転自在に挿通されている。このとき芯軸Ｓ１は、繰出ロールＡ、薇発条ケース５、歯車３に対して同軸となる。
【００２６】
なお、薇発条ケース５は繰出ロールＡに着脱自在であるが、薇発条ケース５を繰出ロールＡに装着したときは、薇発条ケース５は繰出ロールＡに係止され、薇発条ケース５と繰出ロールＡとは一体的に回動する。
【００２７】
さらに、前記薇発条ケース５内に収容された薇発条４は渦巻き状に軸受け２に巻回されており、薇発条４の一端を前記軸受２に係止させ、薇発条４の他端を薇発条ケース５の外周に係止させるとともに、前記下側の芯軸Ｓ２に対し回転可能となした軸受２を介して取付けられた歯車３を、前記上側の芯軸Ｓ１に対し回転可能となした軸受２を介して取付けられた歯車３と噛合させることで本発明の張力発生機構Ｐを構成している。
【００２８】
上記した薇発条４による張力発生機構Ｐは、最初のセット時に巻取側と繰出側の張力を等しくすることで、張力を一定にしたままで粘着テープＱの巻取を行うことができる点に最大の特徴がある。
【００２９】
また、粘着テープロール１の巻取清掃操作に支障が無く且つ自体の見栄えをよくするためには、上の巻取ロールＢ側の歯車３の外径を、当該巻取ロールＢの外径より小さくしなければならないが、繰出ロールＡ側の歯車３の外径は、当該繰出ロールＡの外径より大きくても、両歯車３，３同士を不都合無く歯合させることはできる。繰出ロールＡ側の歯車３の外径を、当該繰出ロールＡの外径より小さくする場合は、後述の変形例１、２、３に示すように、偶数個もしくは奇数個の中間歯車７を入れる必要がある。
【００３０】
（張力発生機構Ｐの作動原理）
本実施形態においては、薇発条ケース５（繰出ロールＡ及び巻取ロールＢ）の回動を停止した状態で、歯車３を一定廻りに回転させると、薇発条４を巻くことになり、その復元力で、歯車３を逆廻りに回転させようとする。この原理を利用して張力の制御を行う。
【００３１】
次に、以上のように構成された形態についての使用の一例について説明すると、先ず、図３に示すように、先ず、上記構成のロールを一対用意して、粘着テープＱを使用する方を巻取ロールＢ（駆動ロール）、未使用の粘着テープＱを繰り出す方を繰出ロールＡ（伝達ロール）とする。巻取ロールＢと繰出ロールＡの各歯車３を歯合させる。このとき薇発条４は、両方とも弛めた状態になるようセットする。
【００３２】
粘着テープＱは、巻取ロールＢ側で粘着面が外側になり、繰出ロールＡ側で粘着面が内側になるように略Ｓ字状に掛け渡す。
【００３３】
巻取ロールＢ及び薇発条ケース５の回転を停止した状態で、巻取ロールＢの歯車３を回転させ、薇発条４を巻く。ことのとき、薇発条４を巻く方向、つまり、歯車３の回転する方向は、ロールの進行方向に対して逆向き（図３中では時計廻り方向）である。巻かれた薇発条４の復元力により、粘着テープＱが巻き取られる方向に（ロールの進行方向に）粘着テープＱに対して張力が働くようになる。
【００３４】
同様に、繰出ロールＡ及び薇発条ケース５の回転を停止した状態で、繰出ロールＡの歯車３を回転させ、薇発条４を巻く。ことのとき、薇発条４を巻く方向、つまり、歯車３の回転する方向は、ロールの進行方向に対して逆向き（図３中では時計廻り方向）である。つまり、繰出ロールＡの薇発条４と巻取ロールＢの薇発条４は、同一の回転方向に巻かれることになる。巻かれた薇発条４の復元力により、粘着テープＱが繰り出される方向と逆方向（ロールの進行方向と逆方向）に粘着テープＱに対して張力が働くようになる。なお、上記繰出ロールＡと巻取ロールＢとの歯車３を回転させる動作は同時に行ってもよい。
【００３５】
最初のセット時に、例えば、手動により、巻取ロールＢ側の薇発条４と繰出ロールＡ側の薇発条４を適度に巻き、手を離すと、それぞれの薇発条４の復元力により、巻取ロールＢと繰出ロールＡは同一廻りに回転する。つまり、粘着テープＱを互いに引っ張り合うように回転する。そして、この回転は、粘着テープＱの巻取方向の張力と、粘着テープＱの繰出方向の張力が等しくなったところで停止する。
【００３６】
この状態で、粘着テープロール１を進行・後退させながら掃除を行う。進行の場合について説明すると、掃除を開始し、図１に示すように、粘着テープロール１を進行させ、巻取ロールＢに粘着テープＱが巻かれていくと、繰出ロールＡの薇発条４が巻かれていき、このとき、巻取ロールＢ側の歯車３が回転し、同時に歯合している繰出ロールＡ側の歯車３が逆回転する。これにより、巻取ロールＢの薇発条４と繰出ロールＡの薇発条４が、同じ復元力で復元されていく。つまり、巻取ロールＢ側の粘着テープＱと繰出ロールＡ側の粘着テープＱが常に逆方向に一定の張力を維持することになるので、ロール使用の際に、常に弛みなく、粘着テープＱの繰出と巻取をおこなうことができる。
【００３７】
粘着テープロール１を後退させた場合の張力発生機構Ｐの作動原理については、進行の場合と同様であるから、説明を省略する。巻取ロールＢ側の粘着テープＱと繰出ロールＡ側の粘着テープＱが常に逆方向に一定の張力を維持するので、進行の場合と同様の作用・効果を奏する。
【００３８】
（第１変形例）
次に、粘着テープロールの第１変形例について説明すると、本変形例では、図４に示すように、巻取ロールＢ側の歯車３と、繰出ロールＡ側の歯車３との間に、さらに偶数個（図４中では２個）の中間歯車７ａ，７ｂを歯合させている。これら中間歯車７ａ，７ｂは、上記した上下一対の平行な芯軸Ｓ１，Ｓ２の間において、上記支持体Ｒから突出した支持軸８ａ，８ｂに回転自在に枢着されている。本変形例においても、上記した本実施形態と同様な作用効果を有する。
【００３９】
（第２変形例）
なお、図示による説明を省略するが、第２変形例として、最初の薇発条４のセット時のみ、偶数個の歯車セットの中央に１つ以上の奇数個の中間歯車（図示せず）を歯合させ、使用開始時は、この中間歯車を外して、偶数個の歯車セットで使用するようにしても良い。
【００４０】
（第３変形例）
次に、粘着テープロールの第３変形例について説明すると、本変形例では、図５に示すように、巻取ロールＢ側の歯車３と、繰出ロールＡ側の歯車３に奇数個の中間歯車７（図５中では１個）を歯合させて使用する。この中間歯車７は、上記した上下一対の平行な芯軸Ｓ１，Ｓ２の間において、上記支持体Ｒから突出した支持軸８に回転自在に枢着されている。この際、粘着テープＱは、Ｓ字形状に掛け渡すのではなく、直線状に掛け渡す。これと同時に、前記張力発生機構Ｐは、前記繰出ロールＡの薇発条４と前記巻取ロールＢの薇発条４を、最初のセット時において互いに逆回転方向に巻かれるものとする。本変形例においても、上記した本実施形態と同様な作用効果を有する。
【００４１】
（第４変形例）
以上の実施形態（変形例を含む。）においては、本実施形態に係る粘着テープロール１は、繰出ロールＡが上側の芯軸Ｓ１に回転自在に装着され、巻取ロールＢが下側の芯軸Ｓ２に回転自在に装着された構成をなしているが、繰出ロールＡが下側の芯軸Ｓ１に回転自在に装着され、巻取ロールＢが上側の芯軸Ｓ２に回転自在に装着された構成であっても、上記の実施の形態と同様の効果を奏し、巻取ロールＢ側の粘着テープＱと繰出ロールＡ側の粘着テープＱが常に逆方向に一定の張力を維持し、ロール使用の際に、常に弛みなく、粘着テープＱの繰出と巻取をおこなうことができる。この変形例の場合は、粘着テープＱは、繰出ロールＡ側で粘着面が外側になり、巻取ロールＢ側で粘着面が内側になるように略Ｓ字状に掛け渡す。本変形例は、繰出ロールＡ、巻取ロールＢの取付け位置が、上記の実施形態と異なるだけであるので、その余の構成、動作原理については、説明を省略する。
【００４２】
以上、説明したように、従来よりも、さらに粘着テープＱの張力を常時弛み無く一定に保つことができ、粘着テープＱの繰出しと巻取を支障なく確実に行うことができ、これによって粘着テープＱの無駄を無くし且つ清掃作業の能率向上を図ることができる。
【符号の説明】
【００４３】
Ａ…繰出ロール
Ｂ…巻取ロール
Ｐ…張力発生機構
Ｑ…粘着テープ
Ｒ…支持体
Ｓ１，Ｓ２…芯軸
Ｇ…グリップ部
Ｖ…ストッパ
１…粘着テープロール
２…軸受
２Ａ…周面凹所
３Ａ…回転中心孔
３…歯車
４…薇発条
５…薇発条ケース
５Ａ…中央孔
６…凹所
７，７ａ，７ｂ    中間歯車
８，８ａ，８ｂ…支持軸        
【要約】
【課題】粘着テープの張力を常時弛み無く一定に保つことができるようにする。
【解決手段】上側の芯軸Ｓ１に対し回転可能な軸受２を介して取付けた歯車３と、下側の芯軸Ｓ２に対し回転可能な軸受２を介して取付けた歯車３とを噛合し、繰出ロールＡ側及び巻取ロールＢ側に各設けた薇発条ケース５内に収容した薇発条４の一端を軸受２に係止し、薇発条４の他端を薇発条ケース５の外周に係止してなる張力発生機構Ｐを備える。この張力発生機構Ｐは、最初のセット時において繰出ロールＡの薇発条４と巻取ロールＢの薇発条４を同一の回転方向に巻くことで、それぞれの薇発条４の復元力により、巻取ロールＢと繰出ロールＡとを粘着テープＱを互いに引っ張り合うように回転付勢し、粘着テープＱの巻取方向の張力と、粘着テープＱの繰出方向の張力が等しくなったところで停止すべくなしてあるものとする。
【選択図】図２【図１】
0005836524.tif 000002
【図２】
0005836524.tif 000003
【図３】
0005836524.tif 000004
【図４】
0005836524.tif 000005
【図５】
0005836524.tif 000006